(57)【特許請求の範囲】
【請求項１】
与えられた画像データを刺繍縫いデータに変換する刺繍縫いデータ作成装置において、
ブロック縫い選択時に、ブロックの１つに初期設定の縫い目方向を設定すると共に、ブロック毎に順次予め用意した一定角度を加算して自動的にブロック毎に異なる縫い目方向を決定するための手段と、
前記各ブロックの画像データを当該ブロック毎の各縫い目方向の縫い目データに変換する縫い目データ変換手段と、
該縫い目データ変換手段によって、変換された縫い目データを記憶する縫い目データ記憶手段とを、
備えたことを特徴とする刺繍縫いデータ作成装置。
【請求項２】
与えられた画像データを刺繍縫いデータに変換する刺繍縫いデータ作成装置において、
ブロック縫い選択時に、ブロックの１つに初期設定の縫い目方向を設定すると共に、ブロック毎に順次予め用意した複数個の異なる角度を加算して自動的にブロック毎に異なる縫い目方向を決定するための手段と、
前記各ブロックの画像データを当該ブロック毎の各縫い目方向の縫い目データに変換する縫い目データ変換手段と、
該縫い目データ変換手段によって、変換された縫い目データを記憶する縫い目データ記憶手段とを、
備えたことを特徴とする刺繍縫いデータ作成装置。
【請求項３】
与えられた画像データを刺繍縫いデータに変換する刺繍縫いデータ作成装置において、
ブロック縫い選択時に、ブロックの１つに初期設定の縫い目方向を設定すると共に、ブロック毎に順次予め用意された複数個の縫い目の傾き角度を設定して自動的にブロック毎に異なる縫い目方向を決定するための手段と、
前記各ブロックの画像データを当該ブロック毎の各縫い目方向の縫い目データに変換する縫い目データ変換手段と、
該縫い目データ変換手段によって、変換された縫い目データを記憶する縫い目データ記憶手段とを、
備えたことを特徴とする刺繍縫いデータ作成装置。
【発明の詳細な説明】
【０００１】
【産業上の利用分野】
この発明は刺繍縫いデータ作成装置に関し、特に縫い上がりの見栄えを改善した刺繍縫いデータを作成できる刺繍縫いデータ作成装置に関する。
【０００２】
【従来の技術】
従来、白紙に描かれた原画パターンをイメージスキャナで読取って“０”、“１”の２値データに変換し、該２値データを刺繍縫いデータに変換する刺繍縫いデータ作成装置が提案されている。
【０００３】
その概略の構成を、図１０の斜視図を参照して説明する。
【０００４】
図において、２０は画像読取装置の１例としてのイメージスキャナであり、その側面には読み取り開始ボタン２２が設けられている。該イメージスキャナ２０は専用ケーブル２１、およびプラグ２３により、刺繍縫いデータ作成装置２４に電気的および機械的に接続されている。
【０００５】
また、前記刺繍縫いデータ作成装置２４には、表示部２５、操作キー部２６、ＲＡＭカード１８からデータを書き込むカードライタ部２７等が設けられている。
【０００６】
３０は原画パターンが書かれた用紙である。この用紙３０としては好ましくは白い紙が用いられ、この紙上に、黒色のペン等で線幅１ミリメートル以上の文字、絵等の原画パターンが描かれている。
【０００７】
上記した刺繍縫いデータ作成装置を用いて、例えば図７に示されているようなチューリップの刺繍縫いデータを作成すると、３枚の花びら、茎および２枚の葉に対して、全て一定方向の縫い目データが形成される。
【０００８】
【発明が解決しようとする課題】
上記のような縫い目データが形成されると、模様要素が連続している箇所、例えば図７の例では、３枚の花びら模様の境界がはっきりせず、縫い上がりの見栄えがあまり良くないという問題があった。
【０００９】
そこで、従来は、図８に示されているように、模様要素間に隙間を開けた原画パターンを用いて、模様の境界を明確にする工夫がなされたが、縫い上がった模様は立体感に乏しいという問題があった。
【００１０】
本発明の目的は、前記した従来技術の問題点を除去し、模様の境界がはっきりし、かつ立体感もある刺繍縫いデータに変換できる刺繍縫いデータ作成装置を提供することにある。
【００１１】
【課題を解決するための手段】
前記目的を達成するために、本発明は、刺繍縫いデータ作成装置として、与えられた画像データを刺繍縫いデータに変換する刺繍縫いデータ作成装置において、ブロック縫い選択時に、ブロックの１つに初期設定の縫い目方向を設定すると共に、ブロック毎に順次予め用意した一定角度を加算して自動的にブロック毎に異なる縫い目方向を決定するための手段と、前記各ブロックの画像データを当該ブロック毎の各縫い目方向の縫い目データに変換する縫い目データ変換手段と、該縫い目データ変換手段によって、変換された縫い目データを記憶する縫い目データ記憶手段とを、備えたことを特徴とする構成を採用する。
また、縫い目方向を決定する手段の別発明として、ブロック縫い選択時に、ブロックの１つに初期設定の縫い目方向を設定すると共に、ブロック毎に順次予め用意した複数個の異なる角度を加算して自動的にブロック毎に異なる縫い目方向を決定するための手段、或いは、ブロック縫い選択時に、ブロックの１つに初期設定の縫い目方向を設定すると共に、ブロック毎に順次予め用意された複数個の縫い目の傾き角度を設定して自動的にブロック毎に異なる縫い目方向を決定するための手段を採用する。
【００１２】
【作用】
本発明によれば、各ブロック毎に縫い目の方向を自動的に異なる方向に傾けることができる。したがって、各模様要素の境界がはっきりし、かつ立体感が出る。
【００１３】
【実施例】
以下に、図面を参照して、本発明を詳細に説明する。
本発明の刺繍縫いデータ作成装置は、その外観が図１０に示されているが、従来のものと同一であり、まず、図３を参照して刺繍縫いデータ作成装置のハード構成を説明する。
【００１４】
図において、２０は画像読取り装置の１例としてのイメージスキャナである。３０は任意の図案や文字等が描かれている原画である。また、４０は中央演算装置（以下、ＣＰＵと省略する。）、４４は刺繍縫いデータ記憶手段、４５は各データ記憶手段（ＲＡＭ）、４６はプログラム記憶手段（ＲＯＭ）である。次に、２５は液晶表示部、４８は表示部制御手段である。４７は前記の各装置を電気的に相互に接続したデータバスである。前記刺繍縫いデータ記憶手段４４は、図１０のＲＡＭカード１８に相当する。
【００１５】
次に、図３の主要な動作を説明した機能ブロック図を図４に示す。
【００１６】
図において、４１は画像データ記憶手段、４２はデータ処理手段、４３は処理データ記憶手段、４３ａは刺繍データ変換手段である。
【００１７】
また、図４の画像データ記憶手段４１および処理データ記憶手段４３は、図３の各データ記憶手段４５に相当する。また、図４のデータ処理手段４２および刺繍データ変換手段４３ａは、図３のプログラム記憶手段４６の処理プログラムとＣＰＵ４０に相当する。なお、以下の図面における前記図３、図４と同じ符号は、同一または同等物とする。
【００１８】
本発明は、前記刺繍データ変換手段４３ａの機能を改善した点に特徴があり、以下に、一実施例を詳細に説明する。図１は、該刺繍データ変換手段４３ａの機能を説明するための機能ブロック図である。
【００１９】
図において、１は一度縫いかブロック縫いかを選択するモード選択手段、２はブロック縫い判定手段、３はブロック数計数手段である。４は縫い目データ傾き決定手段、５は画像データ→縫い目データ変換手段、５ａは該画像データ→縫い目データ変換手段５より該計数手段３および該縫い目データ傾き決定手段４へ送出される変換終了信号である。６は縫い目データ記憶手段であり、前記刺繍データ記憶手段４４に相当する。
【００２０】
次に、前記のような構成の刺繍縫いデータ作成装置２４の概略の動作を、図２のフローチャートを参照して説明する。なお、図２のＳｎ（ｎ＝１，２，３，…，１６）は各処理のステップを示す。
【００２１】
まず、刺繍縫いデータ作成装置２４のカードライタ部２７（図１０参照）にＲＡＭカード１８を挿入し、操作キー部２６でモードを選択する（ステップＳ１）。次に、ブロック縫いが選択されると（ステップＳ２が肯定）、ブロック数計数手段３のカウンタＴ1 、Ｔ2 をクリアする（ステップＳ４）。なお、ステップＳ２が否定の時には一度縫い処理（ステップＳ３）に進むが、これは本発明と関係がないので説明を省略する。
【００２２】
ここに、ブロック縫いとは一つの模様の原画パターンを、それを構成する１つまたは複数の模様要素からなるブロック毎にデータ読み込みし、前記各ブロックを独立的に縫えるようにしたものである。例えば、図７のチューリップ模様では、３枚の花びら、茎、葉等の各ブロックの縫い目データを別個に作成し、これらのブロック毎に刺繍糸の色を変えて、縫うようにすることができる。
【００２３】
操作キー部２６からの入力により、刺繍縫いデータ作成装置２４は、入力モードになり、液晶表示部２５に、たとえば「イメージスキャナの読取り開始ボタンを押して下さい。」という旨のメッセージが表示される。
【００２４】
その後、イメージスキャナ２０の読取り開始ボタン２２を押しながら画像読取りを行う（ステップＳ５）。この操作により、読み取られた画像データは、画像データ記憶手段４１に記憶される（ステップＳ６）。この読取りが終了すると、原画パターンの１ブロックの読み込みが終了することになるので、ブロック数計数手段３（図１参照）は前記画像データのブロックを１個カウントする（ステップＳ７）。
【００２５】
次に、原画パターンの全ブロックの読取り終了か否かの判断をする（ステップＳ８）。読取りが終了した時（ステップＳ８が肯定）は、ステップＳ９に進む。また、読取りが終了しない時（ステップＳ８が否定）は、ステップＳ５に戻り、ステップＳ８までの処理を、ステップＳ８が肯定になるまで繰り返し、原画読取りとブロック数の計測を行う。
【００２６】
前記読取りが終了すると、縫い目の傾きをθ＝θO に初期設定する（ステップＳ９）。次に、縫い目データを作成するための基準軸をＸ軸に対してθO傾ける（ステップＳ１０）。前記の処理を終え、画像データを変換手段５によって縫い目データに変換（ステップＳ１１）して、前記縫い目データを記憶する（ステップＳ１２）。この時、ブロック数計数手段３は１カウントアップする（ステップＳ１３）。
【００２７】
次に、縫いデータ変換が終了したか否かの判断をする（ステップＳ１４）。この判断は、前記カウンタ値Ｔ1 ，Ｔ2 が、等しくなったときに肯定となり、ステップＳ１６に進む。ステップＳ１４が、否定の時にはステップＳ１５に進む。なお、カウンタＴ２は使用せず、ステップＳ１３でカウンタ値Ｔ1 を１ずつ減算し、ステップＳ１４で０になったら、ステップＳ１６に進むようにしても良い。
【００２８】
前記ステップＳ１５では、縫い目データ傾き決定手段４により、縫い目の傾きθに一定値θA を加算する（ステップＳ１５）。その後、ステップＳ１０に戻り、ステップＳ１４が肯定になるまで繰り返す。
【００２９】
前記縫いデータ変換が終了した時は、縫い目データを縫い目データ記憶手段６に記憶登録する（ステップＳ１６）。
【００３０】
前記ステップＳ１６をもって、刺繍縫いデータ作成装置２４の概略の動作が一巡し終了する。
【００３１】
以上のようにして、前記刺繍縫いデータ作成装置２４で刺繍縫い目データを記憶登録したＲＡＭカード１８を刺繍ミシン１０のデータ読込みカードリーダ部１５（図１１参照）に挿入して、前記ＲＡＭカード１８のデータを読み出し、刺繍ミシン１０を作動させる。
【００３２】
なお、図１１は本発明の刺繍縫いデータ作成装置で作成したデータを使用する刺繍ミシンの斜視図である。図において、１１は刺繍ミシンを始動およびストップさせるスタート／ストップキー、１２は液晶表示部、１６は刺繍布を保持する刺繍枠、１７は刺繍ミシンの前面パネルである。
【００３３】
前記実施例では、ステップＳ１５において、一定の角度θA を加算するようにしたが、本発明はこれに限定されず、１ブロック毎に異なる角度を加算するようにしても良いし、また、予め縫い目の傾き角度を複数個用意しておき、これを順次用いるようにしても良い。
【００３４】
次に、本発明を、図５、図６に示されているような円形模様を４分割した４つのブロックを持つ原画パターンに適用して、縫い目の傾きを求めた具体例について説明する。ここに、図５は本発明の方式によって得られた刺繍目、図６は従来方式に刺繍目を示している。
【００３５】
図５において、７０は刺繍縫いされる模様要素、７１ａ，７２ａ，７３ａ，７４ａはそれぞれブロック毎に分けた模様要素である。７１ｂ，７２ｂ，７３ｂ，７４ｂは、前記模様要素の刺繍目である。７５は境界である。θ1 ，θ2 ，θ3 は該要素毎に加える縫い目の傾き角度である。したがって、模様要素７１ａの縫い目の傾きをθ（＝０°）とすると、模様要素７２ａの縫い目の傾きはθ＋θ1 、模様要素７３ａ，７４ａの縫い目の傾きはそれぞれθ＋θ1 ＋θ2 ，θ＋θ1 ＋θ2 ＋θ3 となる。
【００３６】
これに対して、従来方式の刺繍目６１ａ，６２ａ，６３ａ，６４ａの傾き角度は、全て同一のθである。ここに、６１ａ，６２ａ，６３ａ，６４ａはそれぞれブロック毎に分けた模様要素、６５は境界である。
【００３７】
以上の説明から明らかなように、図５の刺繍模様では、ブロック毎に縫い目の傾き角度が異なるから、模様要素の境界が明確になり、かつ、模様に立体感が出る。これに対して、図６の刺繍模様は、模様要素が同一方向に縫われているため境界６５がはっきりしないので、縫い上がりの見栄えがあまり良くなく、立体感に乏しい。
【００３８】
次に、図９を参照して、本発明で作成したチューリップの模様要素８０の刺繍目について説明する。
【００３９】
図において、８１ａ，８２ａ，８３ａ，８４ａはそれぞれブロックに分けた模様要素である。８１ｂ，８２ｂ，８３ｂ，８４ｂは、前記模様要素の刺繍目である。
【００４０】
ここに、第１の刺繍目８１ｂの傾きは、縫い目の傾き決定手段４の初期値θである。第２、第３、第４の刺繍目８２ｂ，８３ｂ，８４ｂの傾きは、それぞれ該刺繍目８１ｂの傾きθに、θA を足し合わせていった傾きである。
【００４１】
以上の各適用例からも明らかなように、本発明を適用して得られた刺繍模様は、各ブロック毎に一定角度ずつ傾いている。このことにより、模様要素が連続している箇所の模様の境界がはっきりし、縫い上がりの見栄えが良くなる。また、縫い上がった模様に立体感が出る。
【００４２】
なお、前記実施例の刺繍縫いデータ作成装置２４は独立した構成であったが、刺繍ミシン本体１０（図１１参照）に該刺繍縫いデータ作成装置２４が内蔵されていても、勿論構わない。
【００４３】
【発明の効果】
以上の説明から明らかなように、本発明によれば、ブロック縫いを選択すると、自動的に各ブロックごとに方向が変化する刺繍目を得ることができる。この結果、模様要素が連続している箇所の模様の境界がはっきりし、縫い上がりの見栄えが良くなり、縫い上がった模様に立体感が出るという効果がある。
【図面の簡単な説明】
【図１】本発明の一実施例の刺繍データ変換手段の機能ブロック図である。
【図２】本発明の一実施例の動作を説明するためのフローチャートである。
【図３】本発明の一実施例のハード構成を示すブロック図である。
【図４】図３に対する機能ブロック図である。
【図５】本発明に方式で４個のブロックを刺繍縫いした絵図である。
【図６】図５の模様を従来方式で刺繍縫いした絵図である。
【図７】従来の方式で刺繍縫いした絵図である。
【図８】従来の方式で絵図の境が分かるように隙間を開けて刺繍縫いした絵図である。
【図９】本発明の方式で刺繍縫いした絵図である。
【図１０】本発明の刺繍縫いデータ作成装置の外観斜視図である。
【図１１】本発明の刺繍縫いデータ作成装置で作成したデータを使用する刺繍ミシンの斜視図である。
【符号の説明】
１…モード選択手段、２…ブロック縫い判定手段、３…ブロック数計数手段、４…縫い目データ傾き決定手段、５…画像データ→縫い目データ変換手段、５ａ…変換終了信号、６…縫い目データ記憶手段、２０…画像読取装置（イメージスキャナ），２５…液晶表示部、３０…原画、４０…中央演算装置（ＣＰＵ），４１…画像データ記憶手段，４２…データ処理手段，４３…処理データ記憶手段、４３ａ…刺繍データ変換手段、４４…刺繍データ記憶手段（ＲＡＭ）、４５…各データ記憶手段（ＲＡＭ）、４６…プログラム記憶手段（ＲＯＭ）、４７…データバス、４８…表示部制御手段、６０…刺繍縫いした絵図、６５…境界線、７０…刺繍縫いした絵図、７５…境界線、８０…刺繍縫いした絵図
【図１】
0003539636.tif 000002
【図９】
0003539636.tif 000003
【図２】
0003539636.tif 000004
【図３】
0003539636.tif 000005
【図４】
0003539636.tif 000006
【図５】
0003539636.tif 000007
【図６】
0003539636.tif 000008
【図７】
0003539636.tif 000009
【図８】
0003539636.tif 000010
【図１０】
0003539636.tif 000011
【図１１】
0003539636.tif 000012